(57)【要約】【課題】意匠性、施工性を高めること。【解決手段】実施形態に係る衛生洗浄装置は、ケーシングと、給水管と、凹部とを備える。給水管は、ケーシングに接続される。凹部は、ケーシングの左右いずれかの外周側に配置され、ケーシングの下面において給水管が取り回し可能な開放空間を形成する。【選択図】図５
2018031221.tif 000002
【特許請求の範囲】
【請求項１】
ケーシングと、
前記ケーシングに接続される給水管と、
前記ケーシングの左右いずれかの外周側に配置され、前記ケーシングの下面において前記給水管が取り回し可能な開放空間を形成する凹部と
を備えることを特徴とする衛生洗浄装置。
【請求項２】
前記給水管は、
前記ケーシングに対して前記下面の面方向に回転自在に接続されること
を特徴とする請求項１に記載の衛生洗浄装置。
【請求項３】
前記ケーシングの前記下面上において接続される電源コード
をさらに備え、
前記電源コードは、
前記開放空間に配置されること
を特徴とする請求項１または２に記載の衛生洗浄装置。
【請求項４】
前記給水管の接続位置が前記電源コードの接続位置よりも下方にあること
を特徴とする請求項３に記載の衛生洗浄装置。
【請求項５】
前記ケーシングは、
前記開放空間において前記給水管の当該ケーシングの前方への回転を規制する回転規制部
を備えること
を特徴とする請求項１から４のいずれか１つに記載の衛生洗浄装置。
【請求項６】
前記ケーシングは、
便器の上面に設けられた取付プレートによって該便器に固定されるとともに、前記取付プレートの上面上を前後方向にスライド移動されることで該取付プレートに対して着脱可能に設けられ、
前記凹部は、
前記ケーシングのスライド移動量と同等の前後方向の長さを有すること
を特徴とする請求項１から５のいずれか１つに記載の衛生洗浄装置。
【請求項７】
前記ケーシングに取り付けられ、少なくとも当該ケーシングの側面の一部を覆う化粧カバー
をさらに備え、
前記化粧カバーは、
前記ケーシングの側面を覆う部分が前記開放空間の開放部を覆うように下方へ延伸していること
を特徴とする請求項１から６のいずれか１つに記載の衛生洗浄装置。
【請求項８】
請求項１〜７のいずれか１つに記載の衛生洗浄装置と、
前記衛生洗浄装置が設置される便器と
を備えることを特徴とするトイレ装置。
【請求項９】
前記便器は、
前記給水管および、前記ケーシングの前記下面上において接続される電源コードの少なくとも一方が挿通される貫通孔
を備えること
を特徴とする請求項８に記載のトイレ装置。
【発明の詳細な説明】
【技術分野】
【０００１】
開示の実施形態は、衛生洗浄装置およびトイレ装置に関する。
【背景技術】
【０００２】
従来、便器の上面に設置され、たとえば、便座に座った人の局部の洗浄を行う衛生洗浄装置が知られている。かかる衛生洗浄装置では、給水管が外部に露出しないように、たとえば、便器の内部空間に給水管を隠して設置される場合がある（たとえば、特許文献１参照）。このため、便器の上面には、便器の内部空間へ給水管を導くために、給水管が挿通される貫通孔が設けられる（たとえば、特許文献２参照）。
【先行技術文献】
【特許文献】
【０００３】
【特許文献１】特開２０１４−１８９９９９号公報
【特許文献２】特開２０１４−１４７４４５号公報
【発明の概要】
【発明が解決しようとする課題】
【０００４】
しかしながら、上記したような従来の衛生洗浄装置では、たとえば、便器の貫通孔は仕様が違えば様々な位置に設けられる場合があることから、貫通孔の位置に対応していない場合は給水管が外部に露出してしまい、意匠的に見栄えが悪くなる、施工が困難になるといったことがある。すなわち、従来の衛生洗浄装置は、意匠性、施工性を高める点について改善の余地があった。
【０００５】
実施形態の一態様は、意匠性、施工性を高めることができる衛生洗浄装置およびトイレ装置を提供することを目的とする。
【課題を解決するための手段】
【０００６】
実施形態の一態様に係る衛生洗浄装置は、ケーシングと、前記ケーシングに接続される給水管と、前記ケーシングの左右いずれかの外周側に配置され、前記ケーシングの下面において前記給水管が取り回し可能な開放空間を形成する凹部とを備えることを特徴とする。
【０００７】
かかる構成によれば、給水管が開放空間内に任意に配置可能となるため、開放空間において給水管を任意の方向に取り出し可能となる。これにより、給水管を開放空間内の任意の方向に取り回すことができるようになり、また、給水管を、ケーシングの側面に露出させずにケーシングの背面において取り回すことが可能なため、意匠性を高めることができる。たとえば、衛生洗浄装置を便器に設置する場合、給水管を便器内に取り回すことが可能となり、意匠性が高まる。また、給水管の取り回しも容易なため、施工性を高めることができる。
【０００８】
また、上記した衛生洗浄装置では、前記給水管は、前記ケーシングに対して前記下面の面方向に回転自在に接続されることを特徴とする。かかる構成によれば、給水管を回転させることで、開放空間内における給水管の取り回しが可能となる。また、たとえば、衛生洗浄装置を便器に設置する場合、給水管を挿通させるために便器の任意の位置に設けられる貫通孔に対応させることができる。これにより、給水管を容易かつ確実に貫通孔に挿通させることができる。これにより、設置作業が容易となり、施工性を高めることができる。また、給水管はケーシングの外側にも取り回しが可能なため、便器に貫通孔がない場合においても、設置作業が容易となり、施工性を高めることができる。
【０００９】
また、上記した衛生洗浄装置では、前記ケーシングの前記下面上において接続される電源コードをさらに備え、前記電源コードは、前記開放空間に配置されることを特徴とする。
【００１０】
かかる構成によれば、電源コードが開放空間内に配置されるため、開放空間において電源コードを任意に取り回すことが可能となり、電源コードの施工性も高めることができる。また、電源コードを貫通孔に挿通させることができる。これにより、電源コードを隠すことができる。また、電源コードを外部に見せないことで、意匠性を高めることができる。
【００１１】
また、上記した衛生洗浄装置では、前記給水管の接続位置が前記電源コードの接続位置よりも下方にあることを特徴とする。かかる構成によれば、給水管が回転自在に構成される場合に、給水管が回転しても電源コードとの干渉を避けることができる。
【００１２】
また、上記した衛生洗浄装置では、前記ケーシングは、前記開放空間において前記給水管の当該ケーシングの前方への回転を規制する回転規制部を備えることを特徴とする。かかる構成によれば、たとえば、給水管の回転を規制した状態で設置作業を行うことで、設置作業が容易となり、施工性を高めることができる。
【００１３】
また、上記した衛生洗浄装置では、前記ケーシングは、便器の上面に設けられた取付プレートによって該便器に固定されるとともに、前記取付プレートの上面上を前後方向にスライド移動されることで該取付プレートに対して着脱可能に設けられ、前記凹部は、前記ケーシングのスライド移動量と同等の前後方向の長さを有することを特徴とする。
【００１４】
かかる構成によれば、ケーシングの凹部の前後方向の長さを、ケーシングを取り付けるためのスライド移動量と同等の長さとすることで、ケーシングのスライド移動によって凹部を所定の位置（たとえば、貫通孔を開放空間内に含む位置）に確実に配置することができる。すなわち、ケーシングのスライド移動によってケーシングの確実な着脱を実現することができる。これにより、施工性を高めることができる。
【００１５】
また、上記した衛生洗浄装置では、前記ケーシングに取り付けられ、少なくとも当該ケーシングの側面の一部を覆う化粧カバーをさらに備え、前記化粧カバーは、前記ケーシングの側面を覆う部分が前記開放空間の開放部を覆うように下方へ延伸していることを特徴とする。
【００１６】
かかる構成によれば、開放空間の内部を外部から隠すことができる。たとえば、給水管や電源コードが開放空間内に配置される場合にはこれらを隠すことができる。また、給水管や電源コードを外部に見せないことで、意匠性を高めることができる。
【００１７】
さらに、実施形態の一態様に係るトイレ装置は、前記衛生洗浄装置と、前記衛生洗浄装置が設置される便器とを備えることを特徴とする。かかる構成によれば、衛生洗浄装置において給水管や電源コードなどが開放空間と便器上面との間に配置されるため、開放空間において給水管や電源コードなどの取り回しが可能となる。これにより、施工性を高めることができる。また、上記したトイレ装置では、前記便器は、前記給水管および、前記ケーシングの前記下面上において接続される電源コードの少なくとも一方が挿通される貫通孔を備えることを特徴とする。かかる構成によれば、給水管や電源コードを貫通孔に挿通させることができる。これにより、給水管や電源コードを隠すことができる。また、給水管や電源コードを外部に見せないことで、意匠性をさらに高めることができる。
【発明の効果】
【００１８】
実施形態の一態様によれば、意匠性、施工性を高めることができる。
【図面の簡単な説明】
【００１９】
【図１】図１は、実施形態に係るトイレ装置の概略斜視図（その１）である。
【図２】図２は、実施形態に係るトイレ装置の概略斜視図（その２）である。
【図３】図３は、実施形態に係る衛生洗浄装置の概略斜視図である。
【図４Ａ】図４Ａは、実施形態に係る衛生洗浄装置の概略側面図（その１）である。
【図４Ｂ】図４Ｂは、実施形態に係る衛生洗浄装置の概略側面図（その２）である。
【図５】図５は、ケーシングの概略底面図である。
【図６Ａ】図６Ａは、給水管の概略側断面図である。
【図６Ｂ】図６Ｂは、給水管の他の例の概略側断面図である。
【図７】図７は、便器部の概略平面図である。
【図８】図８は、給水管および電源コードの配索説明図である。
【図９Ａ】図９Ａは、給水管および電源コードの位置関係の説明図（その１）である。
【図９Ｂ】図９Ｂは、給水管および電源コードの位置関係の説明図（その２）である。
【図１０Ａ】図１０Ａは、給水管の回転規制部の他の例（その１）の説明図である。
【図１０Ｂ】図１０Ｂは、給水管の回転規制部の他の例（その２）の説明図である。
【図１１Ａ】図１１Ａは、開放空間の他の例（その１）の説明図である。
【図１１Ｂ】図１１Ｂは、開放空間の他の例（その２）の説明図である。
【発明を実施するための形態】
【００２０】
以下、添付図面を参照して、本願の開示する衛生洗浄装置およびトイレ装置の実施形態を詳細に説明する。なお、以下に示す実施形態によりこの発明が限定されるものではない。
【００２１】
＜トイレ装置＞
まず、図１および図２を参照して実施形態に係るトイレ装置１の全体構成について説明する。図１および図２は、実施形態に係るトイレ装置１の概略斜視図である。このうち、図２には、衛生洗浄装置１０の取り付け状態を示している。
【００２２】
なお、図１および図２において、説明をわかりやすくするために、鉛直上向きを正方向とするＺ軸を含む３次元の直交座標系を図示している。かかる直交座標系は、他の図においても図示している場合がある。
【００２３】
また、かかる直交座標系は、Ｙ軸の正方向視を正面と規定し、Ｘ軸の正方向視を左側面、Ｘ軸の負方向視を右側面、Ｚ軸の負方向視を平面（「上面」ともいう）と規定している。このため、以下の説明では、Ｘ軸方向を左右方向、Ｙ軸方向を前後方向、Ｚ軸方向を上下方向という場合がある。
【００２４】
図１に示すように、トイレ装置１は、便器部２と、便蓋部３と、衛生洗浄装置１０とを備える。なお、便器部２は、図示のような床置き式に限らず、壁掛け式であってもよい。また、図示の例では、トイレ装置１は、便器部２の後部に洗浄水を貯留する洗浄水タンク（図示省略）が設置されるが、便器部２の後部に洗浄水タンクが設置されない、いわゆるタンクレス式であってもよい。
【００２５】
また、便器部２は、便器本体（以下、「便器」という）２ａの上面に設けられ、汚物を受けるボウル２ｂ（図２参照）を有する。なお、便器部２は、洗浄水をボウル２ｂへ導く導水路、ボウル２ｂの下部に入口が接続され、ボウル２ｂ内の汚物を排水管路へ排出するトラップ管路などをさらに有する。なお、便器２ａは、たとえば陶器製である。
【００２６】
また、トイレ装置１は、たとえば、サイホン作用を利用してボウル２ｂ内の汚物を引き込んでトラップ管路から排出する、いわゆるサイホン式である。なお、トイレ装置１は、サイホン式に限らず、たとえば、ボウル２ｂ内の洗浄水の落差による流水作用で汚物を押し流す、いわゆる洗い落し式であってもよい。
【００２７】
また、便器２ａは、内部空間を有する。たとえば、便器２ａの後半部にカバー２ｃが取り付けられることで、便器２ａとカバー２ｃとの間に、便器２ａの内部空間が形成される。便器２ａの内部空間には、衛生洗浄装置１０の接続部品１３（図２参照）が収納される。
【００２８】
便蓋部３は、便器部２の上方に取り付けられる。便蓋部３は、便蓋３ａと、便座（図示省略）とを備える。便蓋部３は、便蓋３ａや便座の上下方向の回動端部となる後方端部が、衛生洗浄装置１０に取り付けられる。また、衛生洗浄装置１０は、便器２ａの上面に設置される。すなわち、衛生洗浄装置１０は、便器部２と便蓋部３との間に設けられる。
【００２９】
図２に示すように、衛生洗浄装置１０は、便器２ａの上面後部に設置され、たとえば、便座に座った人の局部へ向けて洗浄水を噴射して、便座に座った人の局部を洗浄する。衛生洗浄装置１０では、ケーシング１１（図３参照）の内部に設けられた機能部（図示省略）の接続部品１３が、ケーシング１１の内部から外部へ向けて設けられる。すなわち、接続部品１３は、ケーシング１１の外部に露出している。
【００３０】
接続部品１３としては、たとえば、給水源（図示省略）と接続される給水管１３ａや、電源（図示省略）と接続される電源コード１３ｂがある。また、接続部品１３としては、便器洗浄プラグ１３ｃ（図４Ａ参照）が接続される便器洗浄ジャック１３ｄ（図４Ｂ参照）がある。
【００３１】
すなわち、接続部品１３は、給水管１３ａ、電源コード１３ｂ、便器洗浄ジャック１３ｄを含む。なお、接続部品１３に、便器洗浄プラグ１３ｃを含んでもよい。この場合、便器洗浄プラグ１３ｃは、プラグ部分から延びるコード部分を含む。
【００３２】
なお、便器洗浄プラグ１３ｃは、たとえば、洗浄水タンクの外側部に設けられ便器２ａ洗浄時に操作される回動レバーをリモコンからの操作で行う場合に、回動レバーを駆動するモータと衛生洗浄装置１０とを電気的に接続して、衛生洗浄装置１０を介して電源を供給する。
【００３３】
また、衛生洗浄装置１０は、便器２ａに設置される場合に接続部品１３が使用者の視界に入らないように、すなわち、接続部品１３がトイレ装置１の外部に露出しないように、給水給電隠蔽で設置される。
【００３４】
衛生洗浄装置１０は、便器２ａの上面後部に設置される場合に、接続部品１３が便器２ａの上面後部における左右いずれか一側部（図示の例では、左側部）に設けられた貫通孔２ｄに挿通され、貫通孔２ｄを介して便器２ａの内部空間に収納される。便器２ａの内部空間に収納された接続部品１３は、トイレ装置１の外部に露出することなく、たとえば、トイレ室の壁５を貫通して、壁５内に設けられた給水源や電源と接続される。
【００３５】
このため、衛生洗浄装置１０は、給水給電隠蔽で好適に設置可能なように構成される。なお、衛生洗浄装置１０の詳細については、図３以降を用いて後述する。また、図２に示すように、衛生洗浄装置１０は、便器２ａに対して、取付プレート４を介して取り付けられる。
【００３６】
取付プレート４は、便器２ａの上面後部における中央部に設けられ、便器２ａの上面とケーシング１１（ケースプレート１１ｂ）との間においてケーシング１１を固定する。取付プレート４は、上面上においてケーシング１１を前後方向にスライド移動させることで、ケーシング１１が着脱される。
【００３７】
取付プレート４は、ケーシング１１を所定量だけ前方から後方へスライド移動させると、ケーシング１１が取り付けられる。また、取付プレート４は、ケーシング１１を所定量だけ後方から前方へスライド移動させると、ケーシング１１が取り外される。このように、取付プレート４は、衛生洗浄装置１０を固定し、衛生洗浄装置１０を介して便器部２と便蓋部３とを連結する。
【００３８】
＜衛生洗浄装置＞
次に、図３〜図５を参照して実施形態に係る衛生洗浄装置１０の構成について説明する。図３は、実施形態に係る衛生洗浄装置１０の概略斜視図である。図４Ａおよび図４Ｂは、実施形態に係る衛生洗浄装置１０の概略側面図である。図５は、ケーシング１１の概略底面図である。
【００３９】
なお、図４Ａおよび図４Ｂは、衛生洗浄装置１０の左側面を示している。また、図４Ａには、ケースカバー１１ａを取り付けた状態を示し、図４Ｂには、ケースカバー１１ａを取り外した状態を示している。
【００４０】
図３に示すように、衛生洗浄装置１０は、ケーシング１１と、機能部（図示省略）と、機能部における接続部品１３（図２参照）である、たとえば給水管１３ａとを備える。ケーシング１１は、ケーシング１１上部であるケースカバー１１ａと、ケーシング１１底部であるケースプレート１１ｂとを備える。機能部は、ケーシング１１に収納される。具体的には、機能部は、ケースプレート１１ｂに載置され、ケースカバー１１ａによって上方が覆われる。
【００４１】
機能部は、給水、給電機能に供する装置の他、たとえば、便座に座った人の局部を洗浄する衛生洗浄ノズルや、ボウル２ｂ（図２参照）内の臭いを取り除く脱臭装置などを有する。なお、機能部は、ケースプレート１１ｂ上の一面に配置される。また、機能部は、外部接続用の接続部品１３（図２参照）を有する。
【００４２】
接続部品１３は、上記したように、給水管１３ａと、電源コード１３ｂと、便器洗浄プラグ１３ｃと、便器洗浄ジャック１３ｄとを含む。
【００４３】
ここで、便器２ａの貫通孔２ｄ（図２参照）は、たとえば、便器２ａの上面後部における左側部に設けられる。このため、衛生洗浄装置１０では、上記したような接続部品１３、すなわち、給水管１３ａ、電源コード１３ｂ、便器洗浄プラグ１３ｃおよび便器洗浄ジャック１３ｄは、ケーシング１１（ケースプレート１１ｂ）の後部における左側に集中して配置されてもよい。
【００４４】
これにより、給水給電隠蔽で設置する場合に、給水管１３ａや電源コード１３ｂを隠す作業が容易となり、これにより、施工性を高めることができる。また、給水管１３ａや電源コード１３ｂが外部に露出しないので、意匠的に見栄えがよくなる。これにより、意匠性を高めることができる。
【００４５】
ケーシング１１は、便器２ａ（図２参照）の上面に載置される。ケーシング１１には、給水管１３ａや電源コード１３ｂが配置される部位、すなわち、ケーシング１１の後方端部かつ左方端部において、給水管１３ａなどが外部に露出しないように化粧カバー１４が取り付けられる。化粧カバー１４は、ケーシング１１の少なくとも側面を覆う。なお、化粧カバー１４に覆われる部分には、ケーシング１１における内部と外部とを隔てつつ便器洗浄ジャック１３ｄなどに対してアクセス可能なように切欠きや孔が設けられる。
【００４６】
このように、ケーシング１１の外部に露出する部分を化粧カバー１４で隠すことで、意匠性をさらに高めることができる。また、この場合、化粧カバー１４を、たとえば、ケーシング１１や便器部２（便器２ａ）などの色と同色とすれば、意匠性を容易に高めることができる。なお、化粧カバー１４は、たとえば樹脂製である。
【００４７】
また、化粧カバー１４は、少なくともケーシング１１の側面に配置される部分が、下方へ延伸している。
【００４８】
また、ケーシング１１は、給水管１３ａや電源コード１３ｂが配置される部位、すなわち、ケーシング１１の下面（「底面」ともいう）における後方端部かつ左方端部に、凹部１２が設けられる。言い換えると、凹部１２は、ケーシング１１の左右いずれかの外周側に配置される。凹部１２は、ケーシング１１の下面において他の部位とは段差を有するようにザグリ状に形成された部位である。
【００４９】
凹部１２は、ケーシング１１が便器２ａに取り付けられた状態で、ケーシング１１のたとえば側面（たとえば左側面）の終端部から背面の始端部が開放された開放空間２０を形成する。すなわち、開放空間２０は、便器２ａの上面と、ケーシング１１（凹部１２）の下面と、凹部１２の側壁面とで形成される。凹部１２および開放空間２０については、図４Ａ、図４Ｂおよび図５を用いて後述する。
【００５０】
図４Ａおよび図４Ｂに示すように、衛生洗浄装置１０では、ケーシング１１（ケースプレート１１ｂともいう）の下面に設けられた凹部１２（ケーシング１１が便器２ａに設置された場合は、開放空間２０）内に給水管１３ａ、電源コード１３ｂ、便器洗浄プラグ１３ｃおよび便器洗浄ジャック１３ｄが配置される。なお、凹部１２の内部は、ケーシング１１に化粧カバー１４が取り付けられることで、外部からは見えない。
【００５１】
また、給水管１３ａは、ケーシング１１の下面、言い換えると、ケーシング１１が便器２ａ（図２参照）に設置される場合に便器２ａの上面と対向する面の面上において、一端側が給水口（図示省略）に接続される。また、給水管１３ａの他端側は給水源に接続される。また、給水管１３ａは、ケーシング１１の下面に対して、下面の面方向に回転自在に接続される。
【００５２】
図５に示すように、凹部１２は、ケーシング１１の下面に設けられる。また、凹部１２には、上記したように、給水管１３ａが配置され、ケーシング１１が便器２ａに取り付けられた状態において開放空間２０を形成する。開放空間２０内には、給水管１３ａや電源コード１３ｂなどが取り回し可能に配置される。また、開放空間２０内には、便器２ａの上面に設けられた貫通孔２ｄ（図２参照）が配置される。
【００５３】
このように、実施形態に係る衛生洗浄装置１０によれば、給水管１３ａが開放空間２０内に任意に配置可能となるため、開放空間２０において給水管１３ａを任意の方向に取り出し可能となる。これにより、給水管１３ａを開放空間２０内の任意の方向に取り回すことができるようになり、また、給水管１３ａを、ケーシング１１の側面に露出させずにケーシング１１の背面において取り回すことが可能なため、意匠性を高めることができる。
【００５４】
また、開放空間２０において給水管１３ａを回転させることで、開放空間２０内における給水管１３ａの取り回しが可能となる。また、便器２ａの任意の位置に設けられる貫通孔２ｄに対応させることができる。これにより、給水管１３ａを容易かつ確実に貫通孔２ｄに挿通させることができる。これにより、便器２ａに対する設置作業が容易となり、施工性を高めることができる。また、給水管１３ａはケーシング１１の外側にも取り回しが可能なため、便器２ａに貫通孔２ｄがない場合においても、設置作業が容易となり、施工性を高めることができる。
【００５５】
また、凹部１２には、上記したように、電源コード１３ｂが配置される。すなわち、電源コード１３ｂは、ケーシング１１が便器２ａ（図２参照）に設置された状態においては開放空間２０内に配置される。
【００５６】
このように、実施形態に係る衛生洗浄装置１０によれば、電源コード１３ｂが開放空間２０内に配置されるため、開放空間において電源コード１３ｂを任意に取り回すことが可能となり、電源コード１３ｂの施工性も高めることができる。また、電源コード１３ｂを貫通孔２ｄに挿通させることができる。これにより、電源コード１３ｂを隠すことができる。また、電源コード１３ｂを外部に見せないことで、意匠性を高めることができる。
【００５７】
また、開放空間２０は、ケーシング１１の側面から背面にかけて開放された部分（以下、「開放部」という）を有する。開放空間２０の開放部は、下方へ延伸している化粧カバー１４で覆われる。
【００５８】
このように、実施形態に係る衛生洗浄装置１０によれば、化粧カバー１４によって開放空間２０の内部を外部から隠すことができる。これにより、開放空間２０内に配置される給水管１３ａや電源コード１３ｂなどを隠すことができる。また、給水管１３ａや電源コード１３ｂなどを外部に見せないことで、意匠性を高めることができる。
【００５９】
図５に示すように、給水管１３ａは、給水口に接続される一端部を回転支点として、ケーシング１１の下面の面方向に回転する。ケーシング１１は、凹部１２に、給水管１３ａを当接させて給水管１３ａの前方への回転を規制する回転規制部２１を備える。なお、回転規制部２１は、給水管１３ａを凹部１２に収納する位置で、給水管１３ａの回転を規制することが好ましい。
【００６０】
なお、図５に示す例では、給水管１３ａは、回転規制部２１によって所定の回転角度αとなるように回転が規制される。また、給水管１３ａは、回転規制部２１によって、凹部１２に収納されるように所定位置に保持される。
【００６１】
このように、実施形態に係る衛生洗浄装置１０によれば、たとえば、回転規制部２１によって給水管１３ａの回転を規制した状態で設置作業を行うことで、給水管１３ａの回転が設置作業の妨げになるのを防止することができ、設置作業が容易となる。これにより、施工性を高めることができる。また、取り付け位置を目視できないような状態で設置作業を行う場合にも有効となる。
【００６２】
ここで、図６Ａおよび図６Ｂを参照して給水管１３ａ（および給水管１３０ａ）について説明する。図６Ａは、給水管１３ａの概略側断面図である。図６Ｂは、給水管の他の例（給水管１３０ａ）の概略側断面図である。図６Ａに示すように、給水管１３ａは、給水口に接続され、洗浄水をケーシング１１（図５参照）の内部へ流入させる給水口側端部１３１と、給水源から延びる給水管（フレキシブルホース）と接続される給水源側端部１３２と、水平方向に延びる第１連結部１３３と、鉛直方向に延びる第２連結部１３４とを備える。
【００６３】
すなわち、給水管１３ａは、クランク形状に形成され、２つの略直角の屈曲部を有する。給水管１３ａでは、給水源側端部１３２から供給される洗浄水が鉛直方向の第２連結部１３４の流路１３５ｂを流れた後に水平方向の第１連結部１３３の流路１３５ａを流れ、給水口側端部１３１の流路を流れて、洗浄水が給水口へ供給される。なお、給水管１３ａは、たとえば金属製である。
【００６４】
また、給水管１３ａに代えて、図６Ｂに示すように、１つの略直角の屈曲部を有する、いわゆるエルボタイプの給水管１３０ａを用いてもよい。すなわち、衛生洗浄装置１０に用いる給水管は、少なくとも１つの屈曲部を有するものであればよい。給水管１３０ａは、貫通孔２ｄへ落とし込むようなクランクタイプの給水管１３ａとは異なり、開放空間２０の開放部からケーシング１１の側方へ引き出すものである。なお、給水管１３０ａは、給水口に接続され、洗浄水をケーシング１１（図５参照）の内部へ流入させる給水口側端部１３６と、給水源から延びる給水管（フレキシブルホース）と接続される給水源側端部１３７と、水平方向に延びる連結部１３８とを備える。
【００６５】
また、ここで、図７を参照して便器部２について説明する。図７は、便器部２の概略平面図である。上記したように、便器部２は、便器２ａと、ボウル２ｂと、カバー２ｃ（図２参照）と、貫通孔２ｄとを備える。便器部２は、洗浄水タンク（図示省略）が設置される設置台２ｅをさらに備える。また、便器２ａの後部における中央部には、取付プレート４が取り付けられる。
【００６６】
また、図７に示すように、給水管１３ａや電源コード１３ｂ（図５参照）が挿通される貫通孔２ｄは、便器２ａの中心線Ｏの左側に設けられ、好ましくは、取付プレート４の左方に設けられる。貫通孔２ｄには、ケーシング１１が便器２ａの上面に設置された状態で、給水管１３ａや電源コード１３ｂが挿通される。この他、貫通孔２ｄには、便器洗浄プラグ１３ｃ（図４Ｂ参照）、詳しくは便器洗浄プラグ１３ｃから延びるコードが挿通される。
【００６７】
次に、図８を参照して、ケーシング１１を取り付けた状態における給水管１３ａおよび電源コード１３ｂの配索について説明する。図８は、給水管１３ａおよび電源コード１３ｂの配索説明図である。なお、図８には、ケーシング１１（図５参照）を取り付けた状態の開放空間２０を平面視で模式的に示している。
【００６８】
図８に示すように、ケーシング１１の凹部１２と便器２ａの上面によって形成される開放空間２０内には、貫通孔２ｄが配置される。また、開放空間２０において、貫通孔２ｄには、給水管１３ａおよび電源コード１３ｂが挿通される。この場合、貫通孔２ｄが任意の位置に設けられても、給水管１３ａを回転させることで、給水管１３ａを貫通孔２ｄに挿通させることができる。
【００６９】
また、開放空間２０、すなわち、ケーシング１１の下面の凹部１２は、前後方向（Ｙ軸方向）の長さＬが、ケーシング１１を取付プレート４（図７参照）に取り付けるときの前後方向のスライド移動量と同等の長さに形成される。
【００７０】
このように、実施形態に係る衛生洗浄装置１０によれば、ケーシング１１の凹部１２の前後方向の長さを、ケーシング１１を取り付けるためのスライド移動量と同等の長さとすることで、ケーシング１１のスライド移動によって凹部１２を、たとえば、貫通孔２ｄを開放空間２０内に含む位置に確実に配置することができる。すなわち、ケーシング１１のスライド移動によってケーシング１１の確実な着脱を実現することができる。これにより、施工性を高めることができる。
【００７１】
次に、図９Ａおよび図９Ｂを参照して、ケーシング１１を取り付けた状態における給水管１３ａおよび電源コード１３ｂの位置関係について説明する。図９Ａおよび図９Ｂは、給水管１３ａおよび電源コード１３ｂの位置関係の説明図である。
【００７２】
図９Ａに示すように、ケーシング１１の凹部１２と便器２ａの上面とで形成される開放空間２０内では、給水管１３ａの給水口との接続位置が、電源コード１３ｂのコネクタ１５との接続位置よりも下方に配置される。
【００７３】
図９Ｂに示すように、給水管１３ａの接続位置が電源コード１３ｂの接続位置よりも下方に位置することで、給水管１３ａが回転する場合には電源コード１３ｂのコード部分と干渉する。給水管１３ａが電源コード１３ｂのコード部分と干渉しても、コードの軟性によって実質的に給水管１３ａの回転の妨げにはならない。
【００７４】
このように、実施形態に係る衛生洗浄装置１０によれば、給水管１３ａが回転自在に構成される場合に、給水管１３ａが回転しても電源コード１３ｂとの干渉を避けることができる。
【００７５】
次に、図１０Ａおよび図１０Ｂを参照して給水管１３ａの回転規制部の他の例（回転規制部２１ａ，２１ｂ，２２）について説明する。図１０Ａおよび図１０Ｂは、給水管１３ａの回転規制部の他の例の説明図である。なお、図１０Ａおよび図１０Ｂには、ケーシング１１を便器２ａの上面に設置して形成された開放空間２０を下面（底面）視で模式的に示している。
【００７６】
図１０Ａに示すように、給水管１３ａの回転規制部２１ａ，２１ｂは、ケーシング１１（ケースプレート１１ｂ）の凹部１２に設けられる。回転規制部２１ａ，２１ｂは、給水管１３ａの回転を回転角度βとなるように規制して、給水管１３ａを開放空間２０の内部から外部へ出ないように回転規制する。これにより、給水管１３ａが外部へ露出しないうえ、開放空間２０において貫通孔２ｄの位置に対応させることができる。
【００７７】
図１０Ｂに示すように、給水管１３ａの回転規制部２２は、ケーシング１１（ケースプレート１１ｂ）の凹部１２に設けられる。回転規制部２２は、給水管１３ａを所定位置にピンポイントで配置させる。これにより、給水管１３ａを貫通孔２ｄに確実に挿通させることができる。また、図示のように、回転規制部２２を複数設けることで、たとえば、便器２ａ（図７参照）の仕様によって様々な位置に貫通孔２ｄがあっても、貫通孔２ｄの位置に対応させることができる。
【００７８】
次に、図１１Ａおよび図１１Ｂを参照して、ケーシング１１の凹部、すなわち、開放空間の他の例について説明する。図１１Ａおよび図１１Ｂは、開放空間の他の例（開放空間２０ａ，２０ｂ）の説明図である。なお、図１１Ａおよび図１１Ｂには、ケーシング１１を便器２ａの上面に設置した状態で下面（底面）、すなわち、ケースプレート１１ｂを模式的に示している。
【００７９】
また、図１１Ａおよび図１１Ｂに示す例は、開放空間２０を給水管１３ａの配置にあわせてザグリ状に形成したものである。図１１Ａに示すように、開放空間２０ａ（凹部１２ａ）は、第１空間部１２１と、第２空間部１２２とを備える。第１空間部１２１では、ケーシング１１の側方から後方へかけて給水管１３ａが回転可能に配置される。第２空間部１２２では、ケーシング１１の後方へ向けて給水管１３ａが、たとえば略ピンポイントで位置が決まるように配置される。なお、第２空間部１２２では、給水管１３ａが、たとえば１０度程度の小さい回転角度で回転可能に配置されてもよい。
【００８０】
また、たとえば、第１空間部１２１に配置される給水管として、エルボタイプの給水管１３０ａ（図６Ｂ参照）を用い、第２空間部１２２に配置される給水管として、クランクタイプの給水管１３ａを用いるなど、便器２ａなどに応じて給水管のタイプを変更してもよい。
【００８１】
図１１Ｂに示すように、開放空間２０ｂ（凹部１２ｂ）は、第１空間部１２３と、第２空間部１２４とを備える。第１空間部１２３では、ケーシング１１の側方へ向けて給水管１３ａが、たとえば略ピンポイントで位置が決まるように配置される。第２空間部１２４では、ケーシング１１の後方へ向けて給水管が、たとえば略ピンポイントで位置が決まるように配置される。なお、第１空間部１２３および第２空間部１２４では、給水管１３ａが、たとえば１０度程度の小さい回転角度で回転可能に配置されてもよい。
【００８２】
また、たとえば、クランクタイプの給水管１３ａに代えて、エルボタイプの給水管１３０ａ（図６Ｂ参照）を用いてもよい。
【００８３】
このように、給水管１３ａ（または、給水管１３０ａ）の配置にあわせた開放空間２０ａ，２０ｂを形成することで、給水管１３ａをたとえば便器２ａの貫通孔２ｄに確実に挿通させることができる。また、たとえば、便器２ａ（図７参照）に貫通孔２ｄがない場合でも、対応可能となる。すなわち、施工性を高めることができる。
【００８４】
また、実施形態に係るトイレ装置１は、上記してきた衛生洗浄装置１０を備えることで、衛生洗浄装置１０において給水管１３ａや電源コード１３ｂなどが開放空間２０と便器２ａ上面との間に配置されるため、開放空間２０において給水管１３ａや電源コード１３ｂなどの取り回しが可能となる。これにより、施工性を高めることができる。
【００８５】
また、実施形態に係るトイレ装置１は、貫通孔２ｄを備えることで、給水管１３ａや電源コード１３ｂなどを貫通孔２ｄに挿通させることができる。これにより、給水管１３ａや電源コード１３ｂなどを隠すことができる。また、給水管１３ａや電源コード１３ｂなどを外部に見せないことで、意匠性をさらに高めることができる。
【００８６】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８７】
１    トイレ装置
２    便器部
２ａ  便器
２ｄ  貫通孔
１０    衛生洗浄装置
１１    ケーシング
１２    凹部
１３    接続部品
１３ａ  給水管
１３ｂ  電源コード
１３ｃ  便器洗浄プラグ
１３ｄ  便器洗浄ジャック
１４    化粧カバー
２０    開放空間
２１    回転規制部
【図１】
2018031221.tif 000003
【図２】
2018031221.tif 000004
【図３】
2018031221.tif 000005
【図４Ａ】
2018031221.tif 000006
【図４Ｂ】
2018031221.tif 000007
【図５】
2018031221.tif 000008
【図６Ａ】
2018031221.tif 000009
【図６Ｂ】
2018031221.tif 000010
【図７】
2018031221.tif 000011
【図８】
2018031221.tif 000012
【図９Ａ】
2018031221.tif 000013
【図９Ｂ】
2018031221.tif 000014
【図１０Ａ】
2018031221.tif 000015
【図１０Ｂ】
2018031221.tif 000016
【図１１Ａ】
2018031221.tif 000017
【図１１Ｂ】
2018031221.tif 000018